(57)【要約】【課題】ＡＤＦ方式のセット原稿及びＦＢＳ方式のセット原稿の画像処理を、原稿のセット順に実行することができる画像処理装置及び画像読取装置を提供する。【解決手段】ＡＤＦ方式及びＦＢＳ方式で原稿の画像を読取ることができ、ＡＤＦ方式及びＦＢＳ方式の夫々において原稿がセットされていることを検出するセンサを有する画像読取装置（読取部２）を備え、読取部２で読取った画像を、記録部３で記録シートに記録したり、モデム９からファクシミリ送信する場合に、ＡＤＦ方式及びＦＢＳ方式の夫々にセットされた原稿のセット順をＲＡＭ７に記憶し、読取部２で読取った画像を、記録部３又はモデム９でセット順に記録又は送信する。【選択図】　　　　図１
2004134899.tif 000002
【特許請求の範囲】
【請求項１】
原稿載置台に原稿押え蓋を開けて載置された原稿の画像を読取る載置読取式及び自動原稿供給機構により供給される原稿の画像を読取る自動供給読取式で原稿の画像を読取ることができ、載置読取式及び自動供給読取式の夫々にて原稿がセットされたことを検出する載置原稿検出手段及び供給原稿検出手段を有する画像読取装置を備える画像処理装置において、
載置原稿検出手段及び供給原稿検出手段により検出された原稿のセット順を記憶する記憶部と、
記憶部に記憶されているセット順で載置読取式の原稿及び自動供給読取式の原稿の画像処理を実行させる制御部と
を備えることを特徴とする画像処理装置。
【請求項２】
制御部は、記憶部に記憶されているセット順で載置読取式のセット原稿及び自動供給読取式のセット原稿の画像読取処理を実行させるように構成されていることを特徴とする請求項１記載の画像処理装置。
【請求項３】
原稿押え蓋の開閉を検出する開閉検出手段を備え、
制御部は、載置原稿検出手段及び供給原稿検出手段が共に原稿セット検出状態にあり、しかも、原稿押え蓋が閉じている状態で、読取指示が入力された場合、載置読取式の読取及び自動供給読取式の読取を連続的に実行させるように構成されていることを特徴とする請求項２記載の画像処理装置。
【請求項４】
原稿押え蓋の開閉を検出する開閉検出手段を備え、
制御部は、載置原稿検出手段及び供給原稿検出手段が共に原稿セット検出状態にあり、しかも、原稿押え蓋が開いている状態で、読取指示が入力された場合、先に載置読取式の読取を実行させ、原稿押え蓋が閉じた後に自動供給読取式の読取を実行させるように構成されていることを特徴とする請求項１記載の画像処理装置。
【請求項５】
画像を送信する送信手段を備え、
制御部は、記憶部に記憶されているセット順で載置読取式の読取画像及び自動供給読取式の読取画像の送信処理を実行させるように構成されていることを特徴とする請求項１〜４の何れかに記載の画像処理装置。
【請求項６】
画像を記録シートに記録する記録手段を備え、
制御部は、記憶部に記憶されているセット順で載置読取式の読取画像及び自動供給読取式の読取画像の記録処理を実行させるように構成されていることを特徴とする請求項１〜４の何れかに記載の画像処理装置。
【請求項７】
原稿載置台に原稿押え蓋を開けて載置される原稿の画像を読取る載置読取式及び自動原稿供給機構により供給される原稿の画像を読取る自動供給読取式で原稿の画像を読取ることができ、載置読取式及び自動供給読取式の夫々において原稿がセットされたことを検出する載置原稿検出手段及び供給原稿検出手段を備え、読取指示が入力された場合に原稿の画像を読取る画像読取装置において、
載置原稿検出手段及び供給原稿検出手段が共に原稿セットを検出した状態で読取指示が入力された場合、載置読取式の読取及び自動供給読取式の読取を連続的に実行させる制御部を備えることを特徴とする画像読取装置。
【発明の詳細な説明】
【０００１】
【発明の属する技術分野】
本発明は、ＡＤＦ（ａｕｔｏｍａｔｉｃ　ｄｏｃｕｍｅｎｔ　ｆｅｅｄｅｒ）方式及びＦＢＳ（ｆｌａｔ　ｂｅｄ　ｓｃａｎｎｅｒ）方式の画像読取装置を備える画像処理装置、およびＡＤＦ方式及びＦＢＳ方式で画像を読取る画像読取装置に関する。
【０００２】
【従来の技術】
画像読取装置を備えたコピー機又はファクシミリ装置等の画像処理装置においては、ＡＤＦ（ａｕｔｏｍａｔｉｃ　ｄｏｃｕｍｅｎｔ　ｆｅｅｄｅｒ）方式による画像読取とＦＢＳ（ｆｌａｔ　ｂｅｄ　ｓｃａｎｎｅｒ）方式による画像読取とが実行可能なものが多い。このような画像処理装置においては、例えばＡＤＦ方式及びＦＢＳ方式の優先順位を設定するなどして、ＡＤＦ方式及びＦＢＳ方式の読取原稿を混在させてＦＡＸ送信又は印刷することが可能である。例えばＡＤＦ方式の原稿読取開始前に所定の設定キーでＦＢＳ混在設定を行った後、スタートキーでＡＤＦ方式の原稿読取を開始し、ＡＤＦ方式の原稿読取終了後に、スタートキーでＦＢＳ方式の原稿読取を開始し、ＡＤＦ方式の読取原稿に続けてＦＢＳ方式の読取原稿をＦＡＸ送信することが可能である（例えば、特許文献１参照）。
【０００３】
【特許文献１】
特開２００１−２８５５８８号公報
【０００４】
【発明が解決しようとする課題】
しかし、ＡＤＦ方式による原稿読取開始前のＦＢＳ混在指示と、先に行うＡＤＦ方式の読取に対する読取指示と、後に行うＦＢＳ方式の読取に対する読取指示とを夫々入力する必要があり、操作性が悪い。
【０００５】
また、例えばＡＤＦ方式を優先するように予め設定（固定設定）しておくことも可能である。この場合は、ＡＤＦ方式及びＦＢＳ方式の両方に原稿がセットされた状態で読取指示を受付けた場合、常にＡＤＦ方式による読取が優先（先に実行）される。そのため、ＦＢＳ方式、ＡＤＦ方式の順で連続的に読取りたい場合には、最初にＦＢＳ方式のみ原稿をセットし（ＡＤＦ方式には原稿をセットせずに）、ＦＢＳ方式の読取を実行させる必要がある。そして、ＦＢＳ方式の読取開始後、ＡＤＦ方式に原稿をセットし、ＡＤＦ方式の読取を連続的に行う指示（連続読取指示）を入力する必要がある。
【０００６】
このような連続読取指示は、ＦＢＳ方式の読取中又は読取終了後の所定時間以内に行えばよい。この所定時間をある程度長い時間に設定しておくことにより、連続読取指示が間に合わないという事態は避けることができる。しかしながら、最初（読取指示の入力前）に両方の原稿をセットできず、ＦＢＳ方式の読取指示後のタイミングまでＡＤＦ方式の原稿セットを待つ必要があり、操作性が悪い。また、最初に行うＦＢＳ方式の読取に対する読取指示と、後に行うＡＤＦ方式の読取に対する読取指示（連続読取指示）とを夫々入力する必要があり、操作性が悪い。
【０００７】
また、ＡＤＦ方式に続けてＦＢＳ方式で読取を行わせる連続読取指示の受付は、ＡＤＦ方式の読取中に限られる。ＡＤＦ方式に続けてＦＢＳ方式の読取を行う場合、ＡＤＦ方式の読取が終了する前に連続読取指示を行う必要がある。しかし、連続読取指示の入力が間に合わず、ＡＤＦ方式に続けてＦＢＳ方式で画像を読取れない場合も良く起こる。特に、ＡＤＦ方式で読取る原稿枚数が少ない場合は、ＦＢＳ方式の読取の指示が間に合わないことが多い。
【０００８】
本発明は斯かる事情に鑑みてなされたものであり、ＡＤＦ方式（自動供給読取式）の原稿及びＦＢＳ方式（載置読取式）の原稿の画像処理の順序を、原稿のセット順序で指示することにより、画像処理の順序を容易に指定することができる画像処理装置を提供することを目的とする。
【０００９】
また、本発明は、原稿のセット順にＡＤＦ方式及びＦＢＳ方式で読取を行うことにより、読取の順序を容易に指示することができる画像処理装置を提供することを他の目的とする。
【００１０】
また、本発明は、１度の指示入力により、連続的にＡＤＦ方式及びＦＢＳ方式で原稿の画像を読取ることができる画像処理装置を提供することを他の目的とする。
【００１１】
また、本発明は、原稿押え蓋が開いている場合のＡＤＦ方式の読取を中止し、紙詰まり等の不具合の発生を防止することができる画像処理装置を提供することを他の目的とする。
【００１２】
また、本発明は、ＡＤＦ方式及びＦＢＳ方式で読取られた原稿の画像を、原稿のセット順に送信又は記録することができる画像処理装置を提供することを他の目的とする。
【００１３】
また、本発明は、１度の読取指示により、連続的にＡＤＦ方式及びＦＢＳ方式で原稿を読取ることができる画像読取装置を提供することを他の目的とする。
【００１４】
【課題を解決するための手段】
第１発明に係る画像処理装置は、原稿載置台に原稿押え蓋を開けて載置された原稿の画像を読取る載置読取式及び自動原稿供給機構により供給される原稿の画像を読取る自動供給読取式で原稿の画像を読取ることができ、載置読取式及び自動供給読取式の夫々にて原稿がセットされたことを検出する載置原稿検出手段及び供給原稿検出手段を有する画像読取装置を備える画像処理装置において、載置原稿検出手段及び供給原稿検出手段により検出された原稿のセット順を記憶する記憶部と、記憶部に記憶されているセット順で載置読取式の原稿及び自動供給読取式の原稿の画像処理を実行させる制御部とを備えることを特徴とする。
【００１５】
第２発明に係る画像処理装置は、第１発明において、制御部は、記憶部に記憶されているセット順で載置読取式のセット原稿及び自動供給読取式のセット原稿の画像読取処理を実行させるように構成されていることを特徴とする。
【００１６】
第３発明に係る画像処理装置は、第２発明において、原稿押え蓋の開閉を検出する開閉検出手段を備え、制御部は、載置原稿検出手段及び供給原稿検出手段が共に原稿セット検出状態にあり、しかも、原稿押え蓋が閉じている状態で、読取指示が入力された場合、載置読取式の読取及び自動供給読取式の読取を連続的に実行させるように構成されていることを特徴とする。
【００１７】
第４発明に係る画像処理装置は、第１発明において、原稿押え蓋の開閉を検出する開閉検出手段を備え、制御部は、載置原稿検出手段及び供給原稿検出手段が共に原稿セット検出状態にあり、しかも、原稿押え蓋が開いている状態で、読取指示が入力された場合、先に載置読取式の読取を実行させ、原稿押え蓋が閉じた後に自動供給読取式の読取を実行させるように構成されていることを特徴とする。
【００１８】
第５発明に係る画像処理装置は、第１〜第４発明の何れかにおいて、画像を送信する送信手段を備え、制御部は、記憶部に記憶されているセット順で載置読取式の読取画像及び自動供給読取式の読取画像の送信処理を実行させるように構成されていることを特徴とする。
【００１９】
第６発明に係る画像処理装置は、第１〜第４発明の何れかにおいて、画像を記録シートに記録する記録手段を備え、制御部は、記憶部に記憶されているセット順で載置読取式の読取画像及び自動供給読取式の読取画像の記録処理を実行させるように構成されていることを特徴とする。
【００２０】
第７発明に係る画像読取装置は、原稿載置台に原稿押え蓋を開けて載置される原稿の画像を読取る載置読取式及び自動原稿供給機構により供給される原稿の画像を読取る自動供給読取式で原稿の画像を読取ることができ、載置読取式及び自動供給読取式の夫々において原稿がセットされたことを検出する載置原稿検出手段及び供給原稿検出手段を備え、読取指示が入力された場合に原稿の画像を読取る画像読取装置において、載置原稿検出手段及び供給原稿検出手段が共に原稿セットを検出した状態で読取指示が入力された場合、載置読取式の読取及び自動供給読取式の読取を連続的に実行させる制御部を備えることを特徴とする。
【００２１】
第１発明においては、載置原稿検出手段及び供給原稿検出手段により検出された原稿のセット順を記憶部に記憶する。制御部は、記憶部に記憶されているセット順で、載置読取式の原稿及び自動供給読取式の原稿の画像処理を実行させる。例えば、載置原稿検出手段が先に原稿のセットを検出した場合は、載置読取式の原稿の画像処理を先に実行させ、供給原稿検出手段が先に原稿のセットを検出した場合は、自動供給読取式の原稿の画像処理を先に実行させる。画像処理としては、例えば原稿の読取処理、読取った画像の送信処理又は記録（印刷）処理などがある。
【００２２】
第２発明においては、制御部により、画像読取装置などを制御して、原稿のセット順で、載置読取式のセット原稿及び自動供給読取式のセット原稿の画像読取処理を実行させる。例えば、載置原稿検出手段が先に原稿のセットを検出した場合は、先に載置読取式で画像を読取らせ、供給原稿検出手段が先に原稿のセットを検出した場合は、先に自動供給読取式で画像を読取らせる。
【００２３】
第３発明においては、開閉検出手段により、原稿押え蓋が閉じていることが検出可能である。制御部は、画像読取装置などを制御して、載置原稿検出手段及び供給原稿検出手段が共に原稿セットを検出し、しかも、開閉検出手段が原稿押え蓋の閉じていることを検出した状態で、読取指示の入力を受付けた場合、載置読取式の読取及び自動供給読取式の読取を連続的に実行させる。例えば、載置原稿検出手段が先に原稿のセットを検出した場合は、載置読取式に続けて自動供給読取式で画像を読取らせ、供給原稿検出手段が先に原稿のセットを検出した場合は、自動供給読取式に続けて載置読取式で画像を読取らせる。
【００２４】
第４発明においては、開閉検出手段により、原稿押え蓋が開いていることが検出可能である。制御部は、画像読取装置などを制御して、載置原稿検出手段及び供給原稿検出手段が共に原稿セットを検出し、しかも、開閉検出手段が原稿押え蓋の開いていることを検出した状態で、読取指示の入力を受付けた場合、先に載置読取式の読取を実行させ、開閉検出手段が原稿押え蓋の閉じられたことを検出したときに、自動供給読取式の読取を実行させる。この場合、原稿押え蓋が閉じられたことの検出信号を、自動供給読取式の読取開始信号として用い、スタートキーの押下なしに読取を開始することが可能である。また、制御部は、原稿押え蓋が開いている場合は、原稿押え蓋を閉じるように指示を表示させることができる。
【００２５】
第５又は第６発明においては、制御部により、送信手段又は記録手段などを制御して、記憶部に記憶されているセット順で、載置読取式の読取画像及び自動供給読取式の読取画像の送信処理又は記録処理を実行させる。例えば、載置原稿検出手段が先に原稿のセットを検出した場合は、載置読取式で読取った画像に続けて自動供給読取式で読取った画像を送信又は記録させ、供給原稿検出手段が先に原稿のセットを検出した場合は、自動供給読取式で読取った画像に続けて載置読取式で読取った画像を送信又は記録させる。
【００２６】
第７発明においては、制御部により、載置原稿検出手段及び供給原稿検出手段が共に原稿のセットを検出した状態で、読取指示が入力された場合、載置読取式の読取及び自動供給読取式の読取を連続的に（途中でユーザの指示を受付けることなく）実行させる。
【００２７】
【発明の実施の形態】
以下、本発明をその実施の形態を示す図面に基づいて具体的に説明する。
本説明においては、コピー機の機能を備え、原稿コピー及びファックシミリ送受信が行えるファクシミリ装置を例にして説明するが、これに限定されるものではなく、ＡＤＦ方式の読取及びＦＢＳ方式の読取が共に実行可能な画像読取装置を備える画像処理装置であれば本発明を適用できる。
【００２８】
図１に本発明に係る画像読取装置を備えたファクシミリ装置（画像処理装置）の例を示す。ファクシミリ装置は、制御部（ＣＰＵ：Ｃｅｎｔｒａｌ　Ｐｒｏｃｅｓｓｉｎｇ　Ｕｎｉｔ）１と、原稿を読取る読取部（画像読取装置）２と、ファクシミリ通信が可能なモデム（送信手段）９と、公衆電話回線網等のアナログ回線Ｌとの閉結及び開放を制御するＮＣＵ（Ｎｅｔｗｏｒｋ　Ｃｏｎｔｒｏｌ　Ｕｎｉｔ）１０と、ファクシミリ受信画像又は読取部２で読取った画像を記録シートに記録する記録部（記録手段）３と、ファクシミリ装置の操作に使用する各種キーを備える操作部５と、ファクシミリ装置の動作状態又は操作部５から入力された文字等を表示する表示部４と、ファクシミリ装置の動作に必要な種々のプログラム及びデータが記憶されるＲＯＭ（ＲｅａｄＯｎｌｙ　Ｍｅｍｏｒｙ）６と、プログラムの実行時に発生する一時的なデータ等を記憶するＲＡＭ（Ｒａｎｄｏｍ　Ａｃｃｅｓｓ　Ｍｅｍｏｒｙ）７と、読取部２で読取った原稿画像又はファクシミリ受信画像等を記憶する画像メモリ８と、画像データを符号化又は復号化するＣＯＤＥＣ１１とを備える。
【００２９】
上述したハードウェア各部（１〜１１）は、バス１２に接続されており、ＣＰＵ１によって制御される。ＣＰＵ１は、ＲＯＭ６に記憶されたコンピュータプログラムを読出して、種々の機能を実行する。
【００３０】
操作部５は、ファックスの送信又はコピーの開始等に使用するスタートキー、実行中の処理の中止又は設定のクリア等に使用するクリアキー、設定項目の表示及び表示する設定項目の変更等に使用するメニューキー、前記設定項目内の各設定の選択等に使用する選択キー、ＦＡＸ番号等の数字の入力に使用するテンキー等を備える。表示部４をタッチパネル方式とすることにより、操作部５の各種キーの一部または全部を代用することも可能である。
【００３１】
読取部２は、ＡＤＦ（ａｕｔｏｍａｔｉｃ　ｄｏｃｕｍｅｎｔ　ｆｅｅｄｅｒ）方式（自動供給読取式）の読取及びＦＢＳ（ｆｌａｔ　ｂｅｄ　ｓｃａｎｎｅｒ）方式（載置読取式）の読取が可能である。読取部２の例を図２及び図３に示す。読取部２は、原稿読取部１１０と原稿給送部１２０とを備える。
【００３２】
原稿読取部１１０は、筐体１１０ａの上面に設けられた透明な透光板１１２及び載置ガラス（原稿載置台）１１１と、筐体１１０ａ内に設けられ、載置ガラス１１１上に載置された原稿又は透光板１１２上を通過する原稿に光を照射する図示しない光源と、原稿からの反射光の光路を変更する図示しないミラーと、前記光源及びミラーを移動させる図示しない移動機構と、集光レンズを通してミラーからの光が入射され、画像を読取る図示しないＣＣＤ（ｃｈａｒｇｅ　ｃｏｕｐｌｅｄ　ｄｅｖｉｃｅ）とを有する。ＣＣＤで読取った画像は、ＣＰＵ１の制御により、画像メモリ８に記憶される。
【００３３】
また、筐体１１０ａ内には、フォトダイオード、フォトトランジスタ又はＣＣＤ等のセンサを用いて載置ガラス１１１上の原稿幅（ｘ方向の長さ）を検出する図示しないＦＢＳ幅センサと、原稿長さ（ｙ方向の長さ）を検出する図示しないＦＢＳ長さセンサとが設けられている。ＦＢＳ幅センサとして、上述した画像読取用のＣＣＤを用いることが可能である。前記ＦＢＳ幅センサ及びＦＢＳ長さセンサの検出信号はＣＰＵ１に送られる。
【００３４】
また、筐体１１０ａ内の原稿載置基準コーナ付近には、載置ガラス１１１上に原稿が載置されたことを検出するＦＢＳセットセンサ（載置原稿検出手段）１１４が設けられている。ＦＢＳセットセンサ１１４は、載置ガラス１１１上に原稿がセットされた場合、ＣＰＵ１に検出信号を送る。また、筐体１１０ａ上面付近には、原稿給送部１２０（押え蓋１２１）が完全に閉じられたことを検出する開閉センサ（開閉検出手段）１１９が設けられている。開閉センサ１１９は、原稿給送部１２０下面と筐体１１０ａ上面とが接触して押え蓋１２１が完全に閉じられた場合、ＣＰＵ１に検出信号を送る。
【００３５】
原稿給送部１２０は、載置ガラス１１１上面に設けられ、原稿を押さえる押え蓋（原稿押え蓋）１２１と、透光板１１２上方に設けられた開口１２５と、開口１２５側に向かって下降傾斜するように設けられ、原稿をセットする原稿セット部１２２（原稿トレイ）と、原稿セット部１２２にセットされた原稿を一枚ずつ分離して表面が開口１２５を通過するように給送する図示しない給送ローラ（自動原稿供給機構）と、給送後の原稿が排出される原稿排出台１２６とを有する。原稿セット部１２２には、セットされた原稿の長さ（搬送方向長さ）を検出するＡＤＦ長さセンサ１２３が設けられている。また、原稿給送部１２０内部には、原稿がセットされたことを検出するＡＤＦセットセンサ１２８（供給原稿検出手段）と、セットされた原稿幅（搬送方向に直行する方向の長さ）を検出するＡＤＦ幅センサ１２７とが設けられている。各センサ１２３，１２７，１２８の検出信号はＣＰＵ１に送られる。
【００３６】
ＣＰＵ１は、ＦＢＳセットセンサ１１４による載置ガラス１１１上の原稿及びＡＤＦセットセンサ１２８による原稿セット部１２２の原稿の両方を、所定時間以内に検出した場合、検出した順序（以下、セット順）をＲＡＭ（記憶部）７に記憶する。すなわち、ＦＢＳ方式及びＡＤＦ方式のいずれか一方に原稿がセットされた後、そのセット原稿が取り除かれないまま、所定時間以内に他方に原稿がセットされた場合のみ、両原稿が同時にセットされたものと判断し、そのセット順序がＲＡＭ７に記憶される。前記所定時間は、例えばＦＢＳ方式で読取る原稿の置き忘れ等に気付かずにＡＤＦ方式で読取る原稿をセットした場合などの意に反した両原稿の読取を防止するために、原稿のセットに影響を与えない比較的短い時間（例えば１分）に設定することが好ましい。
【００３７】
押え蓋１２１を除く原稿給送部１２０と載置ガラス１１１を除く原稿読取部１１０とは、ＡＤＦ方式の読取装置として動作し、光源が透光板１１２の下方に移動配置された状態で、開口１２５部分を通過する原稿の画像が読取られる。ＡＤＦ方式で原稿を読取る場合は、筐体１１０ａに対して原稿給送部１２０（抑え蓋１２１）を閉じて読取を行う。
【００３８】
また、透光板１１２を除く原稿読取部１１０と押え蓋１２１とは、ＦＢＳ方式の読取装置として動作し、光源が載置ガラス１１１の下方をｙ方向に走査移動して、載置ガラス１１１上に載置された原稿の画像が読取られる。ＦＢＳ方式で原稿を読取る場合は、原稿給送部１２０（押え蓋１２１）を開けて原稿を載置ガラス１１１上に載置し、押え蓋１２１を閉じてから読取を行う。ただし、本等の厚みのある原稿の場合は、押え蓋１２１を開けたまま読取を行うことになる。
【００３９】
ＣＰＵ１は、操作部５のスタートキーなどが押されて読取指示を受付けた場合、図１に示した各部２〜１１を制御して、ＲＡＭ７に記憶されているセット順で、ＦＢＳ方式のセット原稿及びＡＤＦ方式のセット原稿の画像処理を実行させる。ＣＰＵ１は、画像処理として、例えばＦＢＳ方式のセット原稿及びＡＤＦ方式のセット原稿の画像読取処理を、ＲＡＭ７に記憶されているセット順で実行させる。また、ＣＰＵ１は、画像処理として、例えばＦＢＳ方式の読取画像及びＡＤＦ方式の読取画像の送信処理を、ＲＡＭ７に記憶されているセット順で実行させたり、画像処理として、例えばＦＢＳ方式の読取画像及びＡＤＦ方式の読取画像の記録処理を、ＲＡＭ７に記憶されているセット順で実行させる。前記送信処理はモデム９及びＮＣＵ１０で行い、前記記録処理は記録部３で行う。
【００４０】
また、ＣＰＵ１は、ＦＢＳ方式及びＡＤＦ方式の両方が原稿セット検出状態にあり、しかも、押え蓋１２１が閉じている状態において、読取指示を受付けた場合、ＦＢＳ方式の読取及びＡＤＦ方式の読取を連続的に実行させる。すなわち、この場合には、最初に一度読取指示を行うだけで、両方式の読取が連続的に実行される。また、ＣＰＵ１は、ＦＢＳ方式及びＡＤＦ方式の両方が原稿セット検出状態にあり、しかも、原稿押え蓋１２１が開いている状態において、読取指示が入力された場合、先にＦＢＳ方式の読取を実行させ、原稿押え蓋１２１が閉じた後（開閉センサ１１９により閉鎖を検出した後）に直ちに（再度の読取指示を受付けることなく）ＡＤＦ方式の読取を実行させる。すなわち、この場合には、最初に一度読取指示を行えば、ＦＢＳ方式の読取後、その原稿を取り除いて押え蓋１２１を閉鎖するだけで、再度読取指示を行うことなく、両方式の読取を実行させることができる。
【００４１】
次に、本発明に係る画像処理装置及び画像読取装置を用いた画像読取について説明する。本説明では、画像処理の例としてファクシミリ送信を例にして説明するが、コピー等の画像処理も同様に行うことができる。図４に、原稿の読取手順の例を示す。
【００４２】
ＡＤＦ方式の原稿セット部１２２に原稿がセットされた場合、ＡＤＦセットセンサ１２８によって原稿のセットが検出され、検出信号がＣＰＵ１に送られる。また、ＦＢＳ方式の載置ガラス１１１に原稿がセットされた場合、ＦＢＳセットセンサ１１４によって原稿のセットが検出され、検出信号がＣＰＵ１に送られる。ＣＰＵ１は、ＡＤＦセットセンサ１２８又はＦＢＳセットセンサ１１４からの検出信号によりＡＤＦ又はＦＢＳの原稿のセットを検出した場合（Ｓ１０）、例えば送信先のファクシミリ番号などの送信用設定を操作部５から受付ける（Ｓ１２）。ファクシミリ番号は、ＲＡＭ７に記憶されている登録リストから選択することも可能であり、また、電子メールアドレス等を受付けてメール送信することも可能である。
【００４３】
続いて、操作部５のスタートボタンが押された場合（Ｓ１４：ＹＥＳ）、ＣＰＵ１は、ＡＤＦセットセンサ１２８及びＦＢＳセットセンサ１１４の両方からの検出信号を受取っているとき（Ｓ１６：ＹＥＳ）は、ＡＤＦにセットされた原稿（以下、ＡＤＦ原稿）及びＦＢＳにセットされた原稿（以下、ＦＢＳ原稿）のセット順をＲＡＭ７に記憶し（Ｓ１８）、ＡＤＦ原稿及びＦＢＳ原稿の読取を行う（図５）。また、ＣＰＵ１は、両方式のうち、ＡＤＦセットセンサ１２８からのみ検出信号を受取っているとき（Ｓ１６：ＮＯ、Ｓ１９：ＹＥＳ）は、ＡＤＦ原稿の読取のみ行い（図９）、両方式のうち、ＦＢＳセットセンサ１１４からのみ検出信号を受取っているとき（Ｓ１６：ＮＯ、Ｓ１９：ＮＯ）は、ＦＢＳ原稿の読取のみ行う（図１０）。
【００４４】
図５に、ＡＤＦ原稿及びＦＢＳ原稿の読取手順の例を示す。ＣＰＵ１の制御により、表示部４に、読取の確認メッセージを表示する（Ｓ２０）。表示部４を含む操作部５の一部分５ａを図６（ａ）に示す。図６（ａ）に示すように、表示部４に確認メッセージを表示し、操作部５に設けられた選択キー２４で選択を受付ける。例えば、選択キー２４ａでＡＤＦ方式の読取（以下、ＡＤＦ読取）及びＦＢＳ方式の読取（以下、ＦＢＳ読取）の両方（読取指示）を受付け、選択キー２４ｂでＡＤＦ読取のみを受付け、選択キー２４ｃでＦＢＳ読取のみを受付ける（Ｓ２２）。
【００４５】
また、図６（ａ）に示す確認画面の確認メッセージは、ＣＰＵ１の制御により、ＲＡＭ７に記憶されたセット順に基づいて表示部４に表示される。例えば、ＡＤＦ原稿が先にセットされた場合は、「ＡＤＦ、ＦＢＳの両方で読取りますか」等の確認メッセージを表示し、ＦＢＳ原稿が先にセットされた場合は、「ＦＢＳ、ＡＤＦの両方で読取りますか」等の確認メッセージを表示する。このような確認メッセージを表示することにより、例えばＡＤＦ原稿の置き忘れ等に気付かずにＦＢＳ原稿をセットした場合の意に反した両原稿又はＡＤＦ原稿の読取を防止できる。また、確認メッセージの内容を、ＲＡＭ７に記憶したセット順に応じて切替えることにより、ユーザは、確認メッセージの内容から、両方式の読取順序を簡単に把握することができる。もちろん、確認メッセージの表示（Ｓ２０）及び受付（Ｓ２２）を省略することも可能である。
【００４６】
ＡＤＦ読取のみを受付けた場合（Ｓ２４：ＮＯ、Ｓ２６：ＹＥＳ）は、ＣＰＵ１により、ＡＤＦ読取のみ実行（図９）するように読取部２を制御し、ＦＢＳ読取のみを受付けた場合（Ｓ２４：ＮＯ、Ｓ２６：ＮＯ）は、ＣＰＵ１により、ＦＢＳ読取のみ実行（図１０）するように読取部２を制御する。
【００４７】
また、ＡＤＦ読取及びＦＢＳ読取の両方を受付けた場合（Ｓ２４：ＹＥＳ）は、ＣＰＵ１により、ＡＤＦ読取とＦＢＳ読取とを実行するように読取部２を制御する。ＡＤＦ読取及びＦＢＳ読取は、原則的に、原稿のセット順に行う。原稿のセット順に読取が行われなかった場合は、ＣＰＵ１により、送信する順序を、原稿のセット順に合わせる。ＣＰＵ１は、開閉センサ１１９からの検出信号により、押え蓋１２１の開閉を判別し、押え蓋１２１が閉じている場合（Ｓ２８：ＹＥＳ）は、ＲＡＭ７に記憶されている原稿のセット順に従って、ＡＤＦ原稿及びＦＢＳ原稿を連続的に読取る（Ｓ２９）。
【００４８】
原稿の読取中に、ＣＰＵ１は、操作部５から次（他）の原稿（原稿束）の読取を受付けることが可能である。例えば図６（ｂ）に示すように、ＣＰＵ１の制御により、表示部４に、次（他）の原稿の有無の確認メッセージを表示し、操作部５に設けられた選択キー２４ｃで、次（他）の原稿の読取を受付ける。また、次（他）の原稿が無いことを選択キー２４ｂで受付けるが、いずれの選択キーも押されなかった場合、ＣＰＵ１は、次（他）の原稿が無いと判定する。次（他）の原稿の読取を受付けずに（Ｓ３０：ＮＯ）、両方式の原稿読取が終了した場合（Ｓ３２：ＹＥＳ）、ＣＰＵ１により、両方式の読取画像データを読取順（原稿のセット順）に蓄積した（Ｓ３４）後、モデム９等を制御し、蓄積した読取画像データを蓄積順に送信する（Ｓ３６）。
【００４９】
両方式の原稿読取の終了する前（Ｓ３２：ＮＯ）に、次（他）の原稿の読取を受付けた場合（Ｓ３０：ＹＥＳ）、ＣＰＵ１の制御により、両方式の原稿読取が終了（Ｓ３８）し、両方式の読取画像データを読取順（原稿のセット順）に蓄積した（Ｓ３９）後、次（他）の原稿の読取りを行う（図１１）。
【００５０】
押え蓋１２１が開いている場合（Ｓ２８：ＮＯ）は、ＡＤＦ読取が行えないため、ＡＤＦ原稿の方がセット順が先であっても、ＦＢＳ原稿の方から読取を行う。ＦＢＳ読取時は、ＣＰＵ１により、読取領域の指定を操作部５から受付けることが可能である。例えば、図７に示すように、載置ガラス１１１にセットした原稿１１１ａの半分（斜線部分）だけを読取るように、読取領域の指定を受付けることが可能である。
【００５１】
押え蓋１２１が開いている場合のＡＤＦ原稿及びＦＢＳ原稿の読取手順の例を図８に示す。ＣＰＵ１の制御により、押え蓋１２１が開いた状態で、ＦＢＳ原稿の読取を開始する（Ｓ４０）。ＦＢＳ原稿の読取中に、ＣＰＵ１は、操作部５から次（他）のＦＢＳ原稿の読取を受付けることが可能である。例えば、図６（ｂ）と同様にして、「次（他）のＦＢＳ原稿の読取を続けて行いますか」などのメッセージを表示部４に表示する。ＦＢＳ原稿の読取が終了する前（Ｓ４８：ＮＯ）に、次（他）のＦＢＳ原稿の読取を受付けた場合（Ｓ４２：ＹＥＳ）、ＣＰＵ１の制御により、ＦＢＳ原稿の読取が終了し（Ｓ４４）、スタートボタンが押された後（Ｓ４６：ＹＥＳ）、次（他）のＦＢＳ原稿の読取が開始される（Ｓ４０）。
【００５２】
次原稿の読取を受付けずに（Ｓ４２：ＮＯ）、ＦＢＳ原稿の読取が終了した場合（Ｓ４８：ＹＥＳ）、開閉センサ１１９の検出信号に基づいてＣＰＵ１で押え蓋１２１の開閉を検出する。押え蓋１２１が開いている場合（Ｓ５０：ＮＯ）は、ＣＰＵ１の制御により、「押え蓋を閉じて下さい」などの確認メッセージが表示部４に表示される（Ｓ５２）。押え蓋１２１が閉じられた場合（Ｓ５０：ＹＥＳ）、ＣＰＵ１の制御により、ＡＤＦ原稿の読取が開始される（Ｓ５４）。
【００５３】
ＡＤＦ原稿の読取中に次（他）の原稿の読取を受付けずに（Ｓ５６：ＮＯ）、ＡＤＦ原稿の読取が終了した場合（Ｓ５８：ＹＥＳ）、ＣＰＵ１の制御により、ＦＢＳ原稿及びＡＤＦ原稿の読取画像データを原稿のセット順に蓄積した（Ｓ６０）後、蓄積した読取画像データを蓄積順（原稿のセット順）に送信する（Ｓ６２）。ただし、例えばＦＢＳ原稿を３枚読取った（Ｓ４２：ＹＥＳ、Ｓ４４、Ｓ４６：ＹＥＳ、Ｓ４０）後に、ＡＤＦ原稿を読取った（Ｓ５４）場合は、ＦＢＳ原稿３枚、ＡＤＦ原稿の順に蓄積される。
【００５４】
ＡＤＦ原稿の読取の終了する前（Ｓ５８：ＮＯ）に、次原稿の読取を受付けた場合（Ｓ５６：ＹＥＳ）、ＣＰＵ１の制御により、ＡＤＦ原稿の読取が終了し（Ｓ６４）、ＦＢＳ原稿及びＡＤＦ原稿の読取画像データを原稿のセット順に蓄積した（Ｓ６６）後、次（他）の原稿の読取りを行う（図１１）。
【００５５】
ＡＤＦ原稿の読取手順（ＦＢＳ原稿は読取らない）の例を図９に示す。図９に示すＡＤＦ原稿の読取は、図８に示すＡＤＦ原稿の読取（Ｓ５０〜Ｓ６６）とほぼ同様であり、押え蓋１２１が開いている場合（Ｓ７０：ＮＯ）は、ＣＰＵ１の制御により、「押え蓋を閉じて下さい」などの確認メッセージが表示部４に表示される（Ｓ７２）。押え蓋１２１が閉じている場合（Ｓ７０：ＹＥＳ）、ＣＰＵ１の制御により、ＡＤＦ原稿の読取が開始される（Ｓ７４）。
【００５６】
ＡＤＦ原稿の読取中に次原稿の読取を受付けずに（Ｓ７６：ＮＯ）、ＡＤＦ原稿の読取が終了した場合（Ｓ７８：ＹＥＳ）、ＣＰＵ１の制御により、ＡＤＦ原稿の読取画像データを蓄積した（Ｓ８０）後、蓄積した読取画像データを蓄積順に送信する（Ｓ８２）。ＡＤＦ原稿の読取の終了する前（Ｓ７８：ＮＯ）に、次原稿の読取を受付けた場合（Ｓ７６：ＹＥＳ）、ＣＰＵ１の制御により、ＡＤＦ原稿の読取が終了し（Ｓ８４）、ＡＤＦ原稿の読取画像データを蓄積した（Ｓ８６）後、次（他）の原稿の読取りを行う（図１１）。
【００５７】
ＦＢＳ原稿の読取手順（ＡＤＦ原稿は読取らない）の例を図１０に示す。ＣＰＵ１の制御により、ＦＢＳ原稿の読取が開始される（Ｓ９０）。ＦＢＳ原稿の読取中に次原稿の読取を受付けずに（Ｓ９２：ＮＯ）、ＦＢＳ原稿の読取が終了した場合（Ｓ９４：ＹＥＳ）、ＣＰＵ１の制御により、ＦＢＳ原稿の読取画像データを蓄積した（Ｓ９６）後、蓄積した読取画像データを蓄積順に送信する（Ｓ９８）。ＦＢＳ原稿の読取の終了する前（Ｓ９４：ＮＯ）に、次原稿の読取を受付けた場合（Ｓ９２：ＹＥＳ）、ＣＰＵ１の制御により、ＦＢＳ原稿の読取が終了し（Ｓ１００）、ＦＢＳ原稿の読取画像データを蓄積した（Ｓ１０２）後、次（他）の原稿の読取りを行う（図１１）。
【００５８】
受付けた次（他）の原稿の読取手順の例を図１１に示す。図１１に示した読取手順は、図４に示した読取手順とほぼ同様であり、ＡＤＦ又はＦＢＳの原稿のセットを検出（Ｓ１１０）した後、スタートボタンが押された場合（Ｓ１１２：ＹＥＳ）、ＣＰＵ１は、ＡＤＦ及びＦＢＳの原稿セットを検出しているとき（Ｓ１１４：ＹＥＳ）は、ＡＤＦ原稿及びＦＢＳ原稿のセット順をＲＡＭ７に記憶し（Ｓ１１６）、図５又は図８に示したように、ＡＤＦ原稿及びＦＢＳ原稿の両方の読取を行う。また、ＣＰＵ１は、両方式のうち、ＡＤＦの原稿セットのみ検出している場合（Ｓ１１４：ＮＯ、Ｓ１１８：ＹＥＳ）は、図９に示したようにＡＤＦ原稿の読取のみ行い、両方式のうち、ＦＢＳの原稿セットのみ検出している場合（Ｓ１１４：ＮＯ、Ｓ１１８：ＮＯ）は、図１０に示したようにＦＢＳ原稿の読取のみを行う。
【００５９】
例えば、ＡＤＦ原稿１のセット後にＦＢＳ原稿１（分厚い原稿）をセットし、次（他）の原稿としてＦＢＳ原稿２のセット後にＡＤＦ原稿２（薄い原稿）をセットし、さらに次（他）の原稿としてＦＢＳ原稿３をセットする場合の読取及び送信の処理手順の例を図１２（ａ）に示す。まず、図４に示す処理が行われてＡＤＦ原稿１及びＦＢＳ原稿１のセット順を記憶し（Ｓ１８）、図８に示す処理が行われてＦＢＳ原稿（分厚い原稿）を読取り（Ｓ４０）、押え蓋を閉じた（Ｓ５０：ＹＥＳ）後にＡＤＦ原稿１を読取り（Ｓ５４）、ＦＢＳ原稿１及びＡＤＦ原稿１の読取画像がセット順に蓄積（Ｓ６６）される（図１２（ａ）の１回目）。続いて、図１１に示す処理が行われてＦＢＳ原稿２及びＡＤＦ原稿２のセット順を記憶し（Ｓ１１６）、図５に示す処理が行われてＦＢＳ原稿２（薄い原稿）及びＡＤＦ原稿２がセット順に連続して読取られ（Ｓ２９）、ＦＢＳ原稿２及びＡＤＦ原稿２の読取画像が読取順（セット順）に蓄積（Ｓ３９）される（図１２（ａ）の２回目）。続いて、図１０に示す処理が行われてＦＢＳ原稿３が読取られ（Ｓ９０）、読取画像が蓄積（Ｓ９６）される（図１２（ａ）の３回目）。そして、ＡＤＦ原稿１，ＦＢＳ原稿１，ＦＢＳ原稿２，ＡＤＦ原稿２，ＦＢＳ原稿３の順に送信される（Ｓ９８）。
【００６０】
上述した実施の形態においては、原稿の読取中に次（他）の原稿の読取を受付けたが、原稿の読取後の所定時間内に、次（他）の原稿の読取を受付けることも可能である。例えば、ＦＢＳ原稿の読取終了後、所定時間以内は図６（ｂ）に示す受付メッセージを表示し、次（他）の原稿の読取を受付けることが可能である。また、ＡＤＦ読取が開始される前にＡＤＦ原稿を取り除くことにより、ＡＤＦ読取を中止することも可能である。例えば、ＡＤＦ原稿がセットされていない場合、ＣＰＵ１により、ＡＤＦ原稿のセット指示を表示部４に表示し、その際にＡＤＦ読取をキャンセルすることが可能である。
【００６１】
また、図８の例では、次（他）のＦＢＳ原稿の読取を受付けている（Ｓ４２〜Ｓ４８）が、図８における次（他）のＦＢＳ原稿の受付（Ｓ４２〜Ｓ４８）を省略することも可能である。この場合は、図１０に示したＦＢＳ原稿の読取時に、次（他）のＦＢＳ原稿の読取を受付ける（Ｓ９２，Ｓ１００，Ｓ１０２）。例えばＦＢＳ原稿３枚に続けてＡＤＦ原稿を送信する場合の読取及び送信の処理手順の例を図１２（ｂ）に示す。まず、図１０に示す手順でＦＢＳ原稿を２回（２枚）読取る（図１２（ｂ）の１回目、２回目）。続いて、３枚目のＦＢＳ原稿をセットした後にＡＤＦ原稿をセットし、図５又は図８に示す手順で、ＦＢＳ原稿（１枚）を読取った後、ＡＤＦ原稿を読取る（図１２（ｂ）の３回目）。そして、ＦＢＳ原稿３枚に続けてＡＤＦ原稿が送信される。
【００６２】
【発明の効果】
第１発明によれば、ＡＤＦ方式（自動供給読取式）の原稿及びＦＢＳ方式（載置読取式）の原稿の画像処理を、原稿のセット順に実行することができる。画像処理の順序を原稿のセット順で指示できるため、順序を指示するための煩雑な操作が不要になる。
【００６３】
第２発明によれば、原稿のセット順に、ＡＤＦ方式及びＦＢＳ方式で原稿の画像を読取ることができる。原稿の読取順を原稿のセット順で指示できるため、読取順を指定するための煩雑な操作が不要になる。
【００６４】
第３発明によれば、原稿押え蓋が閉じている場合は、１度の指示入力で、原稿のセット順に、ＡＤＦ方式及びＦＢＳ方式で連続的に原稿を読取ることができる。連続読取及び読取順を指示するための煩雑な操作が不要になる。
【００６５】
第４発明によれば、原稿押え蓋が開いている場合は、ＡＤＦ方式の読取を中止し、紙詰り等の不具合の発生を防止することができる。
【００６６】
第５又は第６発明によれば、ＡＤＦ方式及びＦＢＳ方式で読取った原稿の画像を、セット順に送信又は記録シートに記録することができる。両方式で読取った原稿を所定順で１ジョブとして送信又は記録するための煩雑な操作が不要になる。
【００６７】
第７発明によれば、１度の読取指示で、連続的にＡＤＦ方式及びＦＢＳ方式で画像を読取ることができる。連続読取を指示するための煩雑な操作が不要になる。
【図面の簡単な説明】
【図１】本発明に係る画像読取装置を備えたファクシミリ装置（画像処理装置）の例を示すブロック図である。
【図２】読取部の例を示す斜視図である。
【図３】読取部の例を示す斜視図である。
【図４】原稿の読取手順の例を示すフローチャートである。
【図５】ＡＤＦ原稿及びＦＢＳ原稿の読取手順の例を示すフローチャートである。
【図６】原稿の読取確認画面の例を示す図である。
【図７】原稿のサイズ設定の例を示す図である。
【図８】ＡＤＦ原稿及びＦＢＳ原稿の読取手順の他の例を示すフローチャートである。
【図９】ＡＤＦ原稿の読取手順の例を示すフローチャートである。
【図１０】ＦＢＳ原稿の読取手順の例を示すフローチャートである。
【図１１】受付けた次（他）の原稿の読取手順の例を示すフローチャートである。
【図１２】原稿のセット順に応じた読取及び送信の処理手順の例を示す図である。
【符号の説明】
１　ＣＰＵ（制御部）
２　読取部（画像読取装置）
３　記録部（記録手段）
７　ＲＡＭ（記憶部）
９　モデム（送信手段）
１１１　載置ガラス（原稿載置台）
１１９　開閉センサ（開閉検出手段）
１２１　押え蓋（原稿押え蓋）
１２８　ＡＤＦセットセンサ（供給原稿検出手段）
１１４　ＦＢＳセットセンサ（載置原稿検出手段）
【図１】
2004134899.tif 000003
【図２】
2004134899.tif 000004
【図３】
2004134899.tif 000005
【図４】
2004134899.tif 000006
【図５】
2004134899.tif 000007
【図６】
2004134899.tif 000008
【図７】
2004134899.tif 000009
【図８】
2004134899.tif 000010
【図９】
2004134899.tif 000011
【図１０】
2004134899.tif 000012
【図１１】
2004134899.tif 000013
【図１２】
2004134899.tif 000014